【手続補正書】
【提出日】令和1年10月10日(2019.10.10)
【手続補正１】
【補正対象書類名】明細書
【補正対象項目名】００１１
【補正方法】変更
【補正の内容】
【００１１】
本発明の第１の実施形態に係る撮像装置は、レンズ装着部と、前記レンズ装着部に装着されたレンズの種別を判別する判別手段と、前記判別手段で、前記レンズ装着部に装着されたレンズの種別が垂直方向に対して水平方向に映像を１／ａ（ａ≧１）倍にする第１のレンズであると判別された場合は、前記第１のレンズを介して取得した第１の映像に重畳してアスペクト比がＭ：Ｎの第１のアスペクトマーカを表示し、前記判別手段で、前記レンズ装着部に装着されたレンズの種別が垂直方向に対して水平方向に前記映像を１／ｂ（ｂ≧１、ａ≠ｂ）倍にする第２のレンズであると判別された場合は、前記第２のレンズを介して取得した第２の映像に重畳してアスペクト比がＭ’：Ｎ（Ｍ’＝Ｍ×ａ／ｂ）の第２のアスペクトマーカを表示するよう制御する表示制御手段とを備えることを特徴とする。
【手続補正２】
【補正対象書類名】明細書
【補正対象項目名】００１２
【補正方法】変更
【補正の内容】
【００１２】
本発明の第２の実施形態に係る撮像装置は、垂直方向に対して１／ａ倍（ａ＞１）に映像を縮める第１のレンズを装着可能なレンズ装着部と、前記第１のレンズを介して取得した第１の映像を水平方向にａ倍に引き伸ばした第１の変形映像を生成する変形手段と、映像を表示する表示手段と、前記第１の変形映像を表示する場合、アスペクト比がｍ：ｎの第１のアスペクトマーカを前記第１の変形映像に重畳して表示し、前記第１の映像を表示する場合、アスペクト比がｍ／ａ：ｎの第２のアスペクトマーカを前記第１の映像に重畳して表示するように制御する表示制御手段とを備えることを特徴とする。
【手続補正３】
【補正対象書類名】特許請求の範囲
【補正対象項目名】全文
【補正方法】変更
【補正の内容】
【特許請求の範囲】
【請求項１】
レンズ装着部と、
前記レンズ装着部に装着されたレンズの種別を判別する判別手段と、
前記判別手段で、前記レンズ装着部に装着されたレンズの種別が垂直方向に対して水平方向に映像を１／ａ（ａ≧１）倍にする第１のレンズであると判別された場合は、前記第１のレンズを介して取得した第１の映像に重畳してアスペクト比がＭ：Ｎの第１のアスペクトマーカを表示し、前記判別手段で、前記レンズ装着部に装着されたレンズの種別が垂直方向に対して水平方向に前記映像を１／ｂ（ｂ≧１、ａ≠ｂ）倍にする第２のレンズであると判別された場合は、前記第２のレンズを介して取得した第２の映像に重畳してアスペクト比がＭ’：Ｎ（Ｍ’＝Ｍ×ａ／ｂ）の第２のアスペクトマーカを表示するよう制御する表示制御手段と
を備えることを特徴とする撮像装置。
【請求項２】
前記第１の映像を水平方向にａ倍に引き伸ばした第１の変形映像、及び前記第２の映像を水平方向にｂ倍に引き伸ばした第２の変形映像を生成する変形手段を更に備え、
前記表示制御手段は、前記第１の変形映像を表示する場合に、アスペクト比がｍ：ｎのアスペクトマーカを表示するように制御し、前記第２の変形映像を表示する場合に、アスペクト比がｍ：ｎのアスペクトマーカを表示するように制御することを特徴とする請求項１記載の撮像装置。
【請求項３】
前記判別手段は、ユーザにより入力されたレンズ情報に基づき、前記レンズ装着部に装着されたレンズの種別を判別することを特徴とする請求項１又は２記載の撮像装置。
【請求項４】
前記レンズ装着部に装着されたレンズからレンズ情報を取得する取得手段を更に備え、
前記判別手段は、前記取得されたレンズ情報に基づき、前記レンズ装着部に装着されたレンズの種別を判別することを特徴とする請求項１乃至３のいずれか１項に記載の撮像装置。
【請求項５】
垂直方向に対して１／ａ倍（ａ＞１）に映像を縮める第１のレンズを装着可能なレンズ装着部と、
前記第１のレンズを介して取得した第１の映像を水平方向にａ倍に引き伸ばした第１の変形映像を生成する変形手段と、
映像を表示する表示手段と、
前記第１の変形映像を表示する場合、アスペクト比がｍ：ｎの第１のアスペクトマーカを前記第１の変形映像に重畳して表示し、前記第１の映像を表示する場合、アスペクト比がｍ／ａ：ｎの第２のアスペクトマーカを前記第１の映像に重畳して表示するように制御する表示制御手段と
を備えることを特徴とする撮像装置。
【請求項６】
前記レンズ装着部は、垂直方向に対して水平方向に１／ｂ倍に映像を縮める第２のレンズを装着可能であり（ｂ＞１、ａ≠ｂ）、
前記変形手段は、前記第２のレンズを介して取得した第２の映像を水平方向にｂ倍に引き伸ばした第２の変形映像を更に生成し、
前記表示制御手段は、前記第２の変形映像を表示する場合、アスペクト比がｍ：ｎの第１のアスペクトマーカを前記第２の変形映像に重畳して表示するように制御することを特徴とする請求項５記載の撮像装置。
【請求項７】
前記表示制御手段は、前記第１の変形映像の生成の前に前記第１の映像を表示する場合、前記第１のアスペクトマーカ及び前記第２のアスペクトマーカを前記第１の映像に重畳して表示するように制御することを特徴とする請求項５又は６記載の撮像装置。
【請求項８】
前記表示制御手段は、前記第１のアスペクトマーカ及び前記第２のアスペクトマーカを同時に表示する場合、前記第１のアスペクトマーカ及び前記第２のアスペクトマーカの間で色及び線種の少なくとも１つを同一とすることを特徴とする請求項７記載の撮像装置。
【請求項９】
前記表示制御手段は、前記第１の変形映像を表示する場合、アスペクト比がｍ：ｎの第１のセーフティゾーンを示すセーフティゾーンマーカを前記第１のアスペクトマーカと共に表示し、前記第１の映像を表示する場合、アスペクト比がｍ／ａ：ｎの第２のセーフティゾーンを示すセーフティゾーンマーカを前記第２のアスペクトマーカと共に表示するように制御することを特徴とする請求項５乃至８のいずれか１項に記載の撮像装置。
【請求項１０】
前記表示制御手段は、前記第１の変形映像を表示する場合、更に前記第２のセーフティゾーンを示すセーフティゾーンマーカを同時に表示するように制御することを特徴とする請求項９記載の撮像装置。
【請求項１１】
前記表示制御手段は、前記第１のセーフティゾーンを示すセーフティゾーンマーカ及び前記第２のセーフティゾーンを示すセーフティゾーンマーカを同時に表示する場合、前記第１のセーフティゾーンを示すセーフティゾーンマーカ及び前記第２のセーフティゾーンを示すセーフティゾーンマーカの間で色及び線種の少なくとも１つを同一とすることを特徴とする請求項１０記載の撮像装置。
【請求項１２】
前記表示制御手段は、前記第１の変形映像を表示する場合、アスペクト比がｍ：ｎの第１のグリッドを表示し、前記第１の映像を表示する場合、前記アスペクト比がｍ／ａ：ｎの第２のグリッドを重畳するように制御することを特徴とする請求項５記載の撮像装置。
【請求項１３】
前記表示制御手段は、前記第１の変形映像を表示する場合、前記第２のグリッドを同時に表示するように制御することを特徴とする請求項１２記載の撮像装置。
【請求項１４】
前記表示制御手段は、前記第１のグリッド及び前記第２のグリッドを同時に表示する場合、前記第１のグリッド及び前記第２のグリッドの間で色及び線種の少なくとも１つを同一とすることを特徴とする請求項１３記載の撮像装置。
【請求項１５】
レンズ装着部を備える撮像装置において実行される、前記レンズ装着部に装着されたレンズを介して取得した映像を表示するための表示制御方法であって、
前記レンズ装着部に装着されたレンズの種別を判別する判別ステップと、
前記判別ステップにおいて、前記レンズ装着部に装着されたレンズの種別が垂直方向に対して水平方向に映像を１／ａ（ａ≧１）倍にする第１のレンズであると判別された場合は、前記第１のレンズを介して取得した第１の映像に重畳してアスペクト比がＭ：Ｎの第１のアスペクトマーカを表示し、前記判別ステップにおいて、前記レンズ装着部に装着されたレンズの種別が垂直方向に対して水平方向に前記映像を１／ｂ（ｂ≧１、ａ≠ｂ）倍にする第２のレンズであると判別された場合は、前記第２のレンズを介して取得した第２の映像に重畳してアスペクト比がＭ’：Ｎ（Ｍ’＝Ｍ×ａ／ｂ）の第２のアスペクトマーカを表示するよう制御する表示制御ステップと、
を有することを特徴とする表示制御方法。
【請求項１６】
垂直方向に対して１／ａ倍（ａ＞１）に映像を縮める第１のレンズが装着された撮像装置において実行される、前記第１のレンズを介して取得した第１の映像を表示するための表示制御方法であって、
前記第１の映像を水平方向にａ倍に引き伸ばした第１の変形映像を生成する変形ステップと、
前記第１の変形映像を表示する場合、アスペクト比がｍ：ｎの第１のアスペクトマーカを前記第１の変形映像に重畳して表示し、前記第１の映像を表示する場合、アスペクト比がｍ／ａ：ｎの第２のアスペクトマーカを前記第１の映像に重畳して表示するように制御する表示制御ステップと、
を有することを特徴とする表示制御方法。
【請求項１７】
請求項１５又は請求項１６の表示制御方法を実行するプログラム。